(57)【特許請求の範囲】
【請求項１】
測定器具を計測地点に設置するための測定器具設置装置であって、
前記測定器具を回転自在に支持する軸を固定保持する固定部と、
前記固定部と前記測定器具との間を連結して設けられ、当該測定器具の前記軸に対する回転を阻止する回転防止部と、
前記固定部に設けられた方位計測手段と、を備え、
前記回転防止部は、前記固定部に取り付けられた取付部と、当該取付部にスライド可能に係合され、前記測定器具を保持する保持部とを有し、前記保持部が前記取付部に対してスライドすることにより当該回転防止部が伸縮するように構成され、
前記測定器具および前記固定部の向きを一致させた状態で、前記回転防止部により前記固定部に対する前記測定器具の回転を阻止し、これら測定器具および固定部の向きを、前記方位計測手段が所定方位を指し示す基準方位に設定し、この状態を初期設定状態として、前記軸を前記固定部により固定保持して前記測定器具を設置することを特徴とする測定器具設置装置。
【請求項２】
前記固定部に、前記測定器具の設置状態の水平具合を計測する水平計測手段を更に設けることを特徴とする請求項１に記載の測定器具設置装置。
【請求項３】
前記固定部には、前記軸を固定保持する部位に一方側へ向けて湾曲した湾曲部が設けられていると共に、当該湾曲部に対向して配置され、前記一方側とは反対の他方側へ向けて湾曲したヒンジ部が設けられており、これら湾曲部とヒンジ部との間の略円形状の空間に前記軸が配置される
ことを特徴とする請求項１または２に記載の測定器具設置装置。
【請求項４】
測定器具を計測地点に設置するための測定器具設置方法であって、
前記測定器具を回転自在に支持する軸を固定部に配置し、
前記固定部に取り付けられた取付部と、当該取付部にスライド可能に係合され、前記測定器具を保持する保持部とを有し、前記保持部が前記取付部に対してスライドすることにより伸縮するように構成され、前記固定部と前記測定器具との間を連結して設けられる回転防止部によって、前記測定器具および前記固定部の向きを一致させた状態で、前記固定部に対する前記測定器具の回転を阻止し、
これら測定器具および固定部の向きを、前記固定部に設けられた方位計測手段が所定方位を指し示す初期設定方向に設定し、この状態を基準として、前記軸を前記固定部により固定保持して前記測定器具を設置する
ことを特徴とする測定器具設置方法。
【発明の詳細な説明】
【技術分野】
【０００１】
本発明は、風向風速計等のように方位を含めて測定する器具の設置に用いる測定器具設置装置および測定器具設置方法に関する。
【背景技術】
【０００２】
この種の方位を含めて測定する器具として、従来より風向および風速を測定する風向風速計が一般的に知られている。かかる風向風速計は、風の速度をその方位を含めて測定するもので、通常、所定の方位（例えば、北方位（磁北））を基準として設置される。【０００３】
例えば、特許文献１には、方位磁針（磁気コンパス）が取り付けられた方位盤を設けた下方の支持台と、当該方位盤に立設された固定支持棒に固定され、当該方位盤の上方に位置する上方の支持台と、これら上下の支持台間を貫通して設けられ、下端に方位指針・上端に風速計をそれぞれ支持する回転支持棒と、を備えた風向風速計が開示されている。この回転支持棒は、上下の支持台に対し、それぞれベアリング等を介して支持されることで、方位盤の中央部に対して垂直方向に回動自在に設けられている。そして、回転支持棒の上端に設けられた風速計によって風速を測定すると共に、当該風速計に設けられた風受け羽根によって風を受けることにより回転支持棒と一体に回転され、方位盤上を下端の方位指針によって指示することで方位を測定するようになっている。
【先行技術文献】
【特許文献】
【０００４】
【特許文献１】実開平６−２２９６１号公報
【発明の概要】
【発明が解決しようとする課題】
【０００５】
ところで、かかる特許文献１にも記載されているように、従来の風向風速計では、方位盤に設けられた磁気コンパス等により方位を確認し、設置方向が基準となる方位（磁北）となるように設置するようになっている。【０００６】
しかしながら、特許文献１の風向風速計を含め、従来の風向風速計では、回転支持棒が支持台に対して回転自在に設けられているため、設置の際に風を受けると風向に応じて回転してしまう。そのため、設置に際しては一人が風向風速計を押さえ、もう一人が磁北を確認しながら設定するというように、二人掛かりで設置しなければならず、設定作業に人員と手間が掛っていた。【０００７】
また、一人で設置する際は、風向風速計を押さえつつ、方位磁石を見ながら磁北を確認して設定しなければならず、設定作業が煩雑になることに加えて設定時に誤差が生じ易くなる問題があった。【０００８】
そこで、本発明は、測定器具の設置方位を容易に基準方位へ設定可能とし、測定器具の設置作業における人員を削減して簡単かつ正確に設置可能とする測定器具設置装置および測定器具設置方法を提供することを目的とする。
【課題を解決するための手段】
【０００９】
上記課題を解決するために、本発明に係る測定器具設置装置は、
測定器具を計測地点に設置するための測定器具設置装置であって、
前記測定器具を回転自在に支持する軸を固定保持する固定部と、
前記固定部と前記測定器具との間を連結して設けられ、当該測定器具の前記軸に対する回転を阻止する回転防止部と、
前記固定部に設けられた方位計測手段と、を備え、
前記回転防止部は、前記固定部に取り付けられた取付部と、当該取付部にスライド可能に係合され、前記測定器具を保持する保持部とを有し、前記保持部が前記取付部に対してスライドすることにより当該回転防止部が伸縮するように構成され、
前記測定器具および前記固定部の向きを一致させた状態で、前記回転防止部により前記固定部に対する前記測定器具の回転を阻止し、これら測定器具および固定部の向きを、前記方位計測手段が所定方位を指し示す基準方位に設定し、この状態を初期設定状態として、前記軸を前記固定部により固定保持して前記測定器具を設置するようになっている。
【００１１】
また、本発明に係る測定器具設置装置は、
前記固定部に、前記測定器具の設置状態の水平具合を計測する水平計測手段を更に設けることとしても良い。【００１２】
さらに、前記固定部には、前記軸を固定保持する部位に一方側へ向けて湾曲した湾曲部が設けられていると共に、当該湾曲部に対向して配置され、前記一方側とは反対の他方側へ向けて湾曲したヒンジ部が設けられており、これら湾曲部とヒンジ部との間の略円形状の空間に前記軸が配置されることが好ましい。【００１３】
また、本発明に係る測定器具設置方法は、
測定器具を計測地点に設置するための測定器具設置方法であって、
前記測定器具を回転自在に支持する軸を固定部に配置し、
前記固定部に取り付けられた取付部と、当該取付部にスライド可能に係合され、前記測定器具を保持する保持部とを有し、前記保持部が前記取付部に対してスライドすることにより伸縮するように構成され、前記固定部と前記測定器具との間を連結して設けられる回転防止部によって、前記測定器具および前記固定部の向きを一致させた状態で、前記固定部に対する前記測定器具の回転を阻止し、
これら測定器具および固定部の向きを、前記固定部に設けられた方位計測手段が所定方位を指し示す初期設定方向に設定し、この状態を基準として、前記軸を前記固定部により固定保持して前記測定器具を設置するようになっている。
【発明の効果】
【００１４】
本発明によれば、測定器具の設置方位を容易に基準方位へ設定可能とし、測定器具の設置作業における人員を削減して簡単かつ正確に設置できる。
【図面の簡単な説明】
【００１５】
【図１】本発明の一実施形態として説明する測定器具設置装置の概略構成を示す側面図である。
【図２】図１の測定器具設置装置のＡ−Ａ断面を示す断面図である。
【図３】図１の測定器具設置装置の概略構成を示す背面図である。
【図４】図１の測定器具設置装置の一部を拡大して示す拡大構成図である。
【発明を実施するための形態】
【００１６】
以下、本発明の一実施形態に係る測定器具設置装置について図面を参照しながら説明する。
【００１７】
図１〜図３に示すように、本実施形態による測定器具設置装置１は、測定器具（例えば、風向風速計２）を計測地点に設置するものであって、風向風速計２を回転自在に支持する軸３を固定保持する固定部１０と、これら固定部１０と風向風速計２との間を連結して設けられ、当該風向風速計２の軸３に対する回転を阻止する回転防止部１１と、固定部１０に設けられた磁気コンパス１２と、を備えている。
【００１８】
ここで、風向風速計２は既存の一般的なものであって、軸３に取り付けられる基部２０と、本体２１と、当該本体２１の先端に回転自在に配設されるプロペラ２２と、本体２１のプロペラ２２とは反対の後端に垂直方向に配設される翼２３とを備えている。また、本体２１の下方に位置する基部２０にはプロペラ２２が風を受けることにより回転して計測する風速を測定するための測定部２４が設けられている。なお、本実施形態の測定器具設置装置１では、風向風速計２に限らず、軸３に対して回転可能に支持される各種測定器具を広く適用可能であるため、ここでは既存の風向風速計２の詳細な説明は割愛する。
【００１９】
具体的に、図２に示すように、この測定器具設置装置１においては、例えば角材などからなる固定部１０の略中心部位に軸３を配置して固定保持するようになっている。また、固定部１０の先端側は方位を指し示すように尖った形状をなし、方位計測手段としての磁気コンパス１２が設けられている。
【００２０】
固定部１０の後端側には、回転防止部１１が設けられている。この回転防止部１１は、一端側に設けられ、固定部１０にボルト４を介して取り付けられる取付部１１ａを備えている。また、回転防止部１１は、取付部１１ａから延設されるスライド保持部１１ｂと、このスライド保持部１１ｂにスライド自在に保持され、一端側とは反対の他端側に配置されることで、風向風速計２を保持する保持部１１ｃと、を有している。これら取付部１１ａとスライド保持部１１ｂとは、側面視略Ｌ字形状をなしている（図１参照）。
【００２１】
保持部１１ｃは、例えば風向風速計２側の端部が略Ｙ字形状をなし、これによって風向風速計２を軸３に対して回転しないように保持可能となっている。
また、保持部１１ｃは、取付部１１ａに対してスライド保持部１１ｂにおける調整ボルト５の操作により伸縮自在に係合されている。
【００２２】
固定部１０の軸３を固定保持する部位には、一方側へ向けて湾曲した湾曲部１０ａが設けられている。これと共に、固定部１０には湾曲部１０ａに対向して配置され、一方側とは反対の他方側へ向けて湾曲したヒンジ部１０ｂ，１０ｃが設けられている。
【００２３】
かかるヒンジ部１０ｂ，１０ｃは、図４に拡大して示すように、二つの部材が連結されることで上述の湾曲形状をなすように構成されており、一方のヒンジ部１０ｂには、他方のヒンジ部１０ｃとの連結部位に切欠部１０ｂａが設けられている。また、他方のヒンジ部１０ｃには、一方のヒンジ部１０ｂとの連結部位に貫通孔１０ｃａが貫設されている。
【００２４】
そして、ヒンジ部１０ｃの貫通孔に螺合されるボルト４にヒンジ部１０ｂの切欠部１０ｂａを係合させ、当該ボルト４を締め付けることで、これらヒンジ部１０ｂ，１０ｃを連結するようになっている。また、これらヒンジ部１０ｂ，１０ｃと湾曲部１０ａとの間に形成される略円形状の空間に軸３が配置され、ボルト４を締め付けることで、かかる軸３を固定部１０に対して固定保持するようになっている。
【００２５】
さらに、固定部１０には、風向風速計２の設置状態の水平具合を計測する水平器１３が設けられていても良く、この場合、より一層、風向風速計２を正確に設置可能とする効果を奏することができる。
【００２６】
かかる構成の測定器具設置装置１では、風向風速計２および固定部１０の向きを一致させた状態で、回転防止部１１により固定部１０に対する風向風速計２の回転を阻止する。そして、これら風向風速計２および固定部１０の向きを、磁気コンパス１２が所定方位である磁北（北方位）を指し示す基準方位に設定する。さらに、この状態を初期設定状態として、軸３を固定部１０により固定保持することで、風向風速計２を計測地点に設置するようになっている。
【００２７】
以上、説明したように、本実施形態の測定器具設置装置１は、風向風速計２を計測地点に設置するものであって、風向風速計２を回転自在に支持する軸３を固定保持する固定部１０と、これら固定部１０と風向風速計２との間を連結して設けられ、当該風向風速計２の軸３に対する回転を阻止する回転防止部１１と、固定部１０に設けられた磁気コンパス１２と、を備えている。
そして、この測定器具設置装置１によれば、風向風速計２および固定部１０の向きを一致させた状態で、回転防止部１１により固定部１０に対する風向風速計２の回転を阻止し、これら風向風速計２および固定部１０の向きを、磁気コンパス１２が所定方位である磁北（北方位）を指し示す基準方位に設定し、この状態を初期設定状態として、軸３を固定部１０により固定保持して風向風速計２を設置するようになっている。
【００２８】
従って、風向風速計２の設置の際に、固定部１０に対して回転してしまう風向風速計２を押さえるための人員が不要となり、また、その設置方位を磁気コンパスを見ながら一人で容易に且つ正確に磁北（北方位）に向けて設定することができる。
かくして、本発明の測定器具設置装置１では、風向風速計２の設置方位を容易に基準方位としての磁北(北方位)へ設定可能となり、風向風速計２の設置作業における人員を削減して簡単かつ正確に設置できる。
【００２９】
このとき、回転防止部１１は、一端側に設けられ、固定部１０に取り付けられる取付部１１ａと、一端側とは反対の他端側に設けられ、風向風速計２を保持する保持部１１ｃと、を有している。そして、保持部１１ｃは、取付部１１ａ（具体的には、取付部１１ａから延設されるスライド保持部１１ｂ）に対して伸縮自在に係合されることが好ましい。
これにより、固定部１０の配置位置を低く設定しても、回転防止部１１を伸縮させることで、風向風速計２の軸３に対する回転を阻止できるので、低所においても簡単且つ正確な設置作業が可能となる。
【００３０】
また、固定部１０に、風向風速計２の設置状態の水平具合を計測する水平器１３を更に設けることで、より一層、風向風速計２を正確に設置できる。
【００３１】
さらに、固定部１０には、軸３を固定保持する部位に一方側へ向けて湾曲した湾曲部１０ａが設けられていると共に、当該湾曲部１０ａに対向して配置され、一方側とは反対の他方側へ向けて湾曲したヒンジ部１０ｂ，１０ｃが設けられており、これら湾曲部１０ａとヒンジ部１０ｂ，１０ｃとの間の略円形状の空間に軸３が配置されることが好ましい。
これにより、固定部１０に対する軸３の取り付けを更に容易にできる。
【００３２】
また、本発明に係る測定器具設置方法は、風向風速計２を計測地点に設置するための方法であって、風向風速計２を回転自在に支持する軸３を固定部１０に配置し、固定部１０と風向風速計２との間を連結して設けられる回転防止部１１によって、風向風速計２および固定部１０の向きを一致させた状態で、固定部１０に対する風向風速計２の回転を阻止する。そして、これら風向風速計２および固定部１０の向きを、固定部１０に設けられた磁気コンパス１２が所定方位である磁北（北方位）を指し示す基準方位に設定し、この状態を初期設定状態として、軸３を固定部１０により固定保持して風向風速計２を設置するようになっている。
【００３３】
従って、風向風速計２の設置の際に、固定部１０に対して回転してしまう風向風速計２を押さえるための人員が不要となり、また、その設置方位を磁気コンパスを見ながら一人で容易に且つ正確に磁北（北方位）に向けて設定することができる。
かくして、本発明の測定器具設置方法では、風向風速計２の設置方位を容易に基準方位としての磁北(北方位)へ設定可能となり、風向風速計２の設置作業における人員を削減して簡単かつ正確に設置できる。
【００３４】
なお、本発明は、請求の範囲および明細書全体から読み取ることのできる発明の要旨または思想に反しない範囲で適宜変更可能であり、そのような変更を伴う測定器具設置装置もまた本発明の技術思想に含まれる。
【００３５】
例えば、上述した実施形態では、回転防止部１１を取付部１１ａとスライド保持部１１ｂとが側面から見て略Ｌ字をなす形状で形成する場合について述べたが、本発明はこれに限らず、固定部１０と風向風速計２とを連結するように配置でき、風向風速計２の軸３に対する回転を阻止可能な形状であれば、この他種々の形状を広く適用できる。
【符号の説明】
【００３６】
１  測定器具設置装置
１０  固定部
１０ａ  湾曲部
１０ｂ，１０ｃ  ヒンジ部
１０ｂａ  切欠部
１０ｃａ  貫通孔
１１  回転防止部
１１ａ  取付部
１１ｂ  スライド保持部
１１ｃ  保持部
１２  磁気コンパス（方位計測手段）
１３  水平器（水平計測手段）
２  風向風速計（測定器具）
２０  基部
２１  本体
２２  プロペラ
２３  翼
２４  測定部
３  軸
４  ボルト
５  調整ボルト
【要約】
本発明は、測定器具を計測地点に設置するための測定器具設置装置および測定器具設置方法であって、測定器具を回転自在に支持する軸を固定保持する固定部と、固定部と測定機器との間を連結して設けられ、当該測定機器の軸に対する回転を阻止する回転防止部と、固定部に設けられた方位計測手段とを備え、測定器具および固定部の向きを一致させた状態で、回転防止部により固定部に対する測定器具の回転を阻止し、これら測定器具および固定部の向きを、方位計測手段が所定方位を指し示す基準方位に設定し、この状態を初期設定状態として、軸を固定部により固定保持して測定機器を設置する。これにより、測定器具の設置方位を容易に基準方位へ設定可能とし、測定器具の設置作業における人員を削減して簡単かつ正確に設置できる。【図１】
0005989939.tif 000002
【図２】
0005989939.tif 000003
【図３】
0005989939.tif 000004
【図４】
0005989939.tif 000005